(57)【要約】【課題】  表示板がケース体から外れる虞が少ない表示装置を提供する。【解決手段】  表示板１０は、孔部１２を有する。ケース体４０は、表示板１０が回動可能な状態で孔部１２に挿通される挿通部４４を有する。表示板１０は、突出片１３ａ，１３ｂ，１３ｃ，１３ｄを有する。ケース体４０は、表示板１０を回動させ、突出片１３ａ，１３ｂ，１３ｃ，１３ｄを差し込むことによって、表示板１０を保持する保持部４２ａ，４２ｂ，４２ｃ，４２ｄを有する。ケース体４０の挿通部４４は、表示板１０を係止する係止部４４ａ，４４ｂ，４４ｃを有する。ケース体４０は、表示板１０を位置決めする位置決め部４６ａ，４６ｂを有する。【選択図】  図８
2016061711.tif 000002
【特許請求の範囲】
【請求項１】
孔部を有する表示板と、前記表示板が回動可能な状態で前記孔部に挿通される挿通部を有するケース体と、を備えた表示装置であって、
前記表示板は、突出片を有すると共に、
前記ケース体は、前記表示板を回動させ前記突出片を差し込むことによって前記表示板を保持する保持部を有することを特徴とする表示装置。
【請求項２】
前記ケース体の前記挿通部は、前記表示板を係止する係止部を有することを特徴とする請求項１に記載の表示装置。
【請求項３】
前記ケース体は、前記表示板を位置決めする位置決め部を有することを特徴とする請求項１に記載の表示装置。
【請求項４】
前記ケース体の前記保持部は、前記突出片が当接する前壁部及び第一の側壁部と、前記突出片が当接しない第二の側壁部と、を有することを特徴とする請求項１に記載の表示装置。
【発明の詳細な説明】
【技術分野】
【０００１】
本発明は、表示板を備えた表示装置に関するものである。
【背景技術】
【０００２】
従来より、表示板の固定構造が種々提案されており、例えば特許文献１に開示されている。斯かる表示板の固定構造は、ケース体の挿通部に抜け止め用の係止部を形成し、この係止部を表示板の孔部の近傍に係止させ、表示板をケース体に固定するものである。
【先行技術文献】
【特許文献】
【０００３】
【特許文献１】特開２００７−１２１０９７号公報
【発明の概要】
【発明が解決しようとする課題】
【０００４】
しかしながら、斯かる固定構造を振動が激しい車両（例えば二輪車）の表示装置に適用した場合、振動によって表示板がケース体から外れてしまう虞があった。
本発明は、表示板がケース体から外れる虞が少ない表示装置を提供するものである。
【課題を解決するための手段】
【０００５】
本発明は、孔部１２を有する表示板１０と、前記表示板１０が回動可能な状態で前記孔部１２に挿通される挿通部４４を有するケース体４０と、を備えた表示装置であって、前記表示板１０は、突出片１３ａ，１３ｂ，１３ｃ，１３ｄを有すると共に、前記ケース体４０は、前記表示板１０を回動させ前記突出片１３ａ，１３ｂ，１３ｃ，１３ｄを差し込むことによって前記表示板１０を保持する保持部４２ａ，４２ｂ，４２ｃ，４２ｄを有するものである。
【０００６】
また、本発明は、前記ケース体４０の前記挿通部４４は、前記表示板１０を係止する係止部４４ａ，４４ｂ，４４ｃを有するものである。
【０００７】
また、本発明は、前記ケース体４０は、前記表示板１０を位置決めする位置決め部４６ａ，４６ｂを有するものである。
【０００８】
また、本発明は、前記ケース体４０の前記保持部４２ａ，４２ｂ，４２ｃ，４２ｄは、前記突出片１３ａ，１３ｂ，１３ｃ，１３ｄが当接する前壁部４２ｆ及び第一の側壁部４３ｓと、前記突出片１３ａ，１３ｂ，１３ｃ，１３ｄが当接しない第二の側壁部４２ｔと、を有するものである。
【発明の効果】
【０００９】
表示板を回動させ突出片を保持部に差し込むことによって、ケース体に表示板を容易に組付けることができ、且つ、表示板がケース体から外れる虞が少ない。
【図面の簡単な説明】
【００１０】
【図１】本発明の実施形態を示す正面図。
【図２】同上実施形態を示す部分拡大図。
【図３】同上実施形態を示す要部拡大断面図。
【図４】同上実施形態を示す表示板の正面図。
【図５】同上実施形態を示す部分拡大図。
【図６】同上実施形態を示す要部拡大断面図。
【図７】同上実施形態を示す組付け方法説明図。
【図８】同上実施形態を示す組付け方法説明図。
【図９】本発明の他の実施形態を示す部分拡大図
【図１０】同上他の実施形態を示す要部拡大断面図。
【発明を実施するための形態】
【００１１】
以下、添付図面に基づいて、本発明の一実施形態を説明する。車両用表示装置は、表示板１０，指針２０，液晶表示パネル３０，ケース体４０を備えている。
【００１２】
表示板１０は、透光性シートからなる基材に各種印刷を施したものである。表示板１０は、指針２０に指示される指標部１１を有している。表示板１０の指標部１１は、主目盛り１１ａ，副目盛り１１ｂ，文字部１１ｃからなるものである。主目盛１１ａ及び副目盛り１１ｂは、貫通孔４４ｆを中心とする円弧状に配置されている。文字部１１ｃは、主目盛１１ａの近傍に配置されている。
【００１３】
表示板１０には、挿通部４４が挿通される孔部１２が形成されている。表示板１０の孔部１２は、挿通部４４の係止部４４ａ，４４ｂ，４４ｃを通すための３個の切欠き部１２ａ，１２ｂ，１２ｃを有している。３個の切欠き部１２ａ，１２ｂ，１２ｃは、１２０°の等間隔になっている。表示板１０の孔部１２は、３個の円弧部１２ｄ，１２ｅ，１２ｆを有している。円弧部１２ｄ，１２ｅ，１２ｆの曲率半径は、挿通部４４の基部４４ｋの半径Ｒと略同一になっている。孔部１２の円弧部１２ｄ，１２ｅ，１２ｆは、挿通部４４の基部４４ｋに当接する。
【００１４】
表示板１０は、４個の突出片１３ａ，１３ｂ，１３ｃ，１３ｄを有している。突出片１３ａと、孔部１２と、突出片１３ｃとは、仮想直線Ｌ１上に位置している。突出片１３ｂと、孔部１２と、突出片１３ｄとは、仮想直線Ｌ２上に位置している。表示板１０には、液晶表示パネル３０の画面を視認するための矩形の窓部１９が形成されている。
【００１５】
表示板１０は、切欠き部１５ａ，１５ｂを有している。表示板１０の切欠き部１５ａ，１５ｂには位置決めピン４６ａ，４６ｂが嵌まり、表示板１０がケース体４０に位置決めされる。切欠き部１５ａと、孔部１２と、切欠き部１５ｂとは、仮想直線Ｌ３上に位置している。
【００１６】
指針２０は、指針駆動部（ステッピングモータ等）の回動軸７０によって回動され、表示板１０の指標部１１を指示する。液晶表示パネル３０は、透明電極が形成された一対のガラス基板に液晶を封入した液晶セルの前後両面に偏光板を貼着したものであり、積算走行距離等を表示する。
【００１７】
ケース体４０は、不透明な樹脂からなるものであり、液晶表示パネル３０，指針駆動部を収容する。ケース体４０は、４個の保持部４２ａ，４２ｂ，４２ｃ，４２ｄを有している。ケース体４０の保持部４２ａ，４２ｂ，４２ｃ，４２ｄには、表示板１０の突出片１３ａ，１３ｂ，１３ｃ，１３ｄが差込まれる。ケース体４０の保持部４２ｂは、前壁部４２ｆ，側壁部４２ｓ，側壁部４２ｔを有している。
【００１８】
表示板１０の突出片１３ｂは、前壁部４２ｆと側壁部４２ｓの隙間４２ｖに差込まれ、表示板１０の突出片１３ｂは、前壁部４２ｆ及び側壁部４２ｓに当接する。表示板１０の突出片１３ｂは、側壁部４２ｔと所定間隔Ｄを有しており、側壁部４２ｔには当接しない。ケース体４０の保持部４２ａ，４２ｃ，４２ｄも、保持部４２ｂと同様な構造になっている。
【００１９】
ケース体４０は、表示板１０の孔部１２に挿通される挿通部４４を有している。ケース体４０の挿通部４４は、基部４４ｋと、３個の係止部４４ａ，４４ｂ，４４ｃとを有している。挿通部４４の基部４４ｋは、貫通孔４４ｆを有する略円筒形状になっている。基部４４ｋの前面は、表示板１０の回動方向に沿って傾斜する傾斜面を有している。挿通部４４の貫通孔４４ｆは、指針駆動部の回動軸７０が貫通する。基部４４ｋの外周円筒面は、所定の半径Ｒを有する。３個の係止部４４ａ，４４ｂ，４４ｃは、１２０°間隔になっている。
【００２０】
ケース体４０の外周壁部４７には、位置決めピン４６ａ，４６ｂが形成されている。ケース体４０の位置決めピン４６ａ，４６ｂには、表示板１０の切欠き部１５ａ，１５ｂが嵌められ、ケース体４０に表示板１０が位置決めされる。
【００２１】
図７及び図８は、表示板１０の組付けを表す説明図である。表示板１０をケース体４０に組付ける際は、先ず、表示板１０を左に６０°傾けた状態で、表示板１０の孔部１２に挿通部４４を挿通する。次に、表示板１０を右に回動させ、突出片１３ａ，１３ｂ，１３ｃ，１３ｄをケース体４０の保持部４２ａ，４２ｂ，４２ｃ，４２ｄに差込む。表示板１０の突出片１３ａ，１３ｂ，１３ｃ，１３ｄは、保持部４２ａ，４２ｂ，４２ｃ，４２ｄの前壁部４２ｆ及び側壁部４２ｓによって保持される。
【００２２】
表示板１０は、切欠き部１５ａ，１５ｂが位置決めピン４６ａ，４６ｂが嵌まることによって位置決めされ、突出片１３ａ，１３ｂ，１３ｃ，１３ｄは、保持部４２ａ，４２ｂ，４２ｃ，４２ｄの側壁部４２ｔには当接しない。つまり、表示板１０の回動角度は、切欠き部１５ａ，１５ｂと位置決めピン４６ａ，４６ｂとによって規制され、突出片１３ａ，１３ｂ，１３ｃ，１３ｄと保持部４２ａ，４２ｂ，４２ｃ，４２ｄとによっては規制されない。
【００２３】
本実施形態によれば、表示板１０を回動させ突出片１３ａ，１３ｂ，１３ｃ，１３ｄを保持部４２ａ，４２ｂ，４２ｃ，４２ｄに差し込むことによって、ケース体４０に表示板１０を容易に組付けることができ、且つ、表示板１０がケース体４０から外れる虞が少ない。
【００２４】
なお、本発明は、本実施形態に限定されるものではなく、種々の変形が可能である。例えば、本実施形態は、突出片１３ａ，１３ｂ，１３ｃ，１３ｄ及び保持部４２ａ，４２ｂ，４２ｃ，４２ｄが夫々４個であったが、突出片及び保持部は少なくとも１個あれば良い。本実施形態は、表示板１０の切欠き部１５ａ，１５ｂに位置決めピン４６ａ，４６ｂを嵌めることによって、表示板１０を位置決めするものであったが、表示板１０に孔部を形成し、この孔部に位置決めピン４６ａ，４６ｂを挿通させることによって、表示板１０を位置決めしても良い。
【００２５】
また、本実施形態は、ケース体４０の挿通部４４が３個の係止部４４ａ，４４ｂ，４４ｃを有するものであったが、図９及び図１０に示す他の実施形態のように、係止部は２個であっても良い。
【符号の説明】
【００２６】
１０    表示板
１２    孔部
１３ａ  突出片
１３ｂ  突出片
１３ｃ  突出片
１３ｄ  突出片
４０    ケース体
４２ａ  保持部
４２ｂ  保持部
４２ｃ  保持部
４２ｄ  保持部
４２ｆ  前壁部
４２ｓ  側壁部（第一の側壁部）
４２ｔ  側壁部（第二の側壁部）
４４    挿通部
４４ａ  係止部
４４ｂ  係止部
４４ｃ  係止部
４６ａ  位置決めピン（位置決め部）
４６ｂ  位置決めピン（位置決め部）
【図１】
2016061711.tif 000003
【図２】
2016061711.tif 000004
【図３】
2016061711.tif 000005
【図４】
2016061711.tif 000006
【図５】
2016061711.tif 000007
【図６】
2016061711.tif 000008
【図７】
2016061711.tif 000009
【図８】
2016061711.tif 000010
【図９】
2016061711.tif 000011
【図１０】
2016061711.tif 000012